(57)【特許請求の範囲】
【請求項１】
診察人が被診察人に対して診察をする際に使用される診察ブースであって、
前記診察人が出入り可能な診察エリアと、前記被診察人が出入り可能能な被診察エリアとが内部に配置され、かつ少なくとも上面が解放された骨組ユニットと、
前記骨組ユニットに、前記診察エリアと前記被診察エリアとを仕切るようにして取り付けられた透明な仕切りシートと、
前記骨組ユニットに着脱可能に取り付けられ、前記診察エリアから前記診察人の腕が挿入されるグローブとを備え、
前記仕切りシートに、前記グローブが前記被診察エリアに延出するように挿通される挿通孔が設けられ、
前記骨組ユニットは、前記仕切りシートの幅方向に沿って延び、かつ上下に平行離間して設けられた２本の棒状の取付フレームを備え、
２本の前記取付フレームの端部は、前記骨組ユニットの骨組材に固定され、
２本の前記取付フレームにグローブ取付用の円環状の２つのポートが左右に離間して取り付けられ、
前記ポートに前記グローブが着脱可能に取り付けられていることを特徴とする診察ブース。
【請求項２】
前記仕切りシートは前記骨組ユニットに着脱可能に取り付けられていることを特徴とする請求項１に記載の診察ブース。
【請求項３】
前記骨組ユニットの側面の少なくとも一部が側面シートによって外部と仕切られていることを特徴とする請求項１または２に記載の診察ブース。
【請求項４】
前記診察エリアに空気を吹き出す矩形のパネル状の空気吹出装置と、前記被診察エリアから空気を吸引する矩形のパネル状の空気吸引装置との少なくとも一方を備え、
前記空気吹出装置の幅が、前記骨組ユニットの前記仕切りシートと対向する部位の幅とほぼ等しくなっており、
前記空気吹出装置は、前記診察エリアの前記骨組ユニットの骨組材に前記仕切りシートと対向し、かつ前記空気吹出装置の幅方向の端部が固定されることで、取り付けられ、
前記空気吸引装置の幅が、前記骨組ユニットの前記仕切りシートと対向する部位の幅とほぼ等しくなっており、
前記空気吸引装置は、被診察エリアの前記骨組ユニットの骨組材に前記仕切りシートと対向し、かつ前記空気吸引装置の幅方向の端部が固定されることで、取り付けられていることを特徴とする請求項１〜３のいずれか１項に記載の診察ブース。
【発明の詳細な説明】
【技術分野】
【０００１】
本発明は、医療機関等に設置されることで、診察人が被診察人を安全に診察できる診察ブースに関する。
【背景技術】
【０００２】
近年、エボラ、ＳＡＲＳ、ＭＥＲＳ、さらには新型コロナウイルスのような致死性のウイルスが大量発生している。
これらウイルスの拡散、蔓延を防止するためには、感染が疑わしい患者等に対してウイルス検査をすることが重要であるが、このウイルス検査を実施する際に、患者等の被診察人から医師等の診察人にウイルスが感染することがある。
この感染を防止するために、診察人と被診察人との間に透明な仕切り板を設けるとともに、この仕切り板にグローブを取り付け、このグローブに診察人が腕を通して、被診察人に対して、検体の採取や診察を行うことも一部で行われている。
グローブは、例えば、作業者が作業室の外部から作業を行うことができるアイソレータに取り付けられることがある（例えば特許文献１参照）。グローブはアイソレータの前面板に孔を設け、この孔にグローブ取付部材を取り付ける等により、アイソレータ内に延出させている。
【先行技術文献】
【特許文献】
【０００３】
【特許文献１】特開２０１９−７８９号公報
【発明の概要】
【発明が解決しようとする課題】
【０００４】
ところで、ウイルス検査等において、感染を防止するために、診察人と被診察人との間に透明な樹脂製の仕切りシートを設けるとともに、この仕切りシートにグローブを取り付けることが考えられるが、患者がウイルスに感染していた場合、グローブがウイルスに汚染されるおそれがある。このため、一定期間ごと、あるいは検査の度にグローブを取り換える必要がある。この場合、仕切りシートにグローブ取付用のポートを設けるとともに、このポートにグローブを取り付ける必要がある。仕切りシートは柔軟性があり薄肉であるため、ポートの設置は困難であり、また、グローブの取り換えに手間がかかる。
また、仕切りシートを診察人と被診察人との間に設けるには、当該仕切りシートを天井から吊るしたり、専用の取付枠を設けたりする必要があり、仕切りシートの取付けに手間がかかる。
【０００５】
本発明は、前記事情に鑑みてなされたもので、診察人と被診察人との間に容易に仕切りシートを設けることができるとともに、グローブの取り換えが容易な診察ブースを提供することを目的とする。
【課題を解決するための手段】
【０００６】
前記目的を達成するために、本発明の診察ブースは、診察人が被診察人に対して診察をする際に使用される診察ブースであって、
前記診察人が出入り可能な診察エリアと、前記被診察人が出入り可能能な被診察エリアとが内部に配置され、かつ少なくとも上面が解放された骨組ユニットと、
前記骨組ユニットに、前記診察エリアと前記被診察エリアとを仕切るようにして取り付けられた透明な仕切りシートと、
前記骨組ユニットに着脱可能に取り付けられ、前記診察エリアから前記診察人の腕が挿入されるグローブとを備え、
前記仕切りシートに、前記グローブが前記被診察エリアに延出するように挿通される挿通孔が設けられていることを特徴とする。
【０００７】
ここで、診察とは、医師等の診察人が患者等に被診察人を診察すること以外に、例えば、医師や看護師等の検査人が、被検査人に検体採取等を行う検査も含む。
診察エリアと被診察エリアとを仕切るようにして取り付けられた透明な仕切りシートは、例えば、上端部（上縁部）が骨組ユニットの上部に取り付けられ、下端部（下縁部）は骨組ユニットが設置された床面に接していてもよいし、当該床面から所定高さだけ離間していてもよい。仕切りシートの下端部を床面から所定高さだけ離間させる場合、当該下端部を診察人および被診察人の腰のあたりに位置させればよい。
前記骨組ユニットは、その上面が解放されるが、側面や下面はシート等によって少なくとも一部を覆ってもよいし、覆わなくてもよい。
また、骨組ユニットは、複数の骨組材を組み立てることによって形成すればよい。このようにすれば、骨組材の本数、長さ、配置位置等を適宜選択することによって、骨組ユニットの形状、大きさを自由に決定できるとともに、骨組ユニットの強度を適切に設定できる。
【０００８】
本発明においては、骨組ユニットに、透明な仕切りシートが、診察エリアと被診察エリアとを仕切るようにして取り付けられるので、診察人と被診察人との間に容易に仕切りシートを設けることができる。
また、骨組ユニットにグローブが着脱可能に取り付けられるとともに、仕切りシートに、グローブが被診察エリアに延出するように挿通される挿通孔が設けられているので、グローブの取り換えが容易となる。
【０００９】
また、本発明の前記構成において、前記仕切りシートは前記骨組ユニットに着脱可能に取り付けられていてもよい。
【００１０】
このような構成によれば、仕切りシートが損傷したり汚れた場合に、当該仕切りシートを容易に取り換えることができる。
【００１１】
また、本発明の前記構成において、前記骨組ユニットは、前記仕切りシートの幅方向に沿って延びる取付フレームを備え、
前記取付フレームに前記グローブが着脱可能に取り付けられていてもよい。
【００１２】
このような構成によれば、仕切りシートの幅方向に沿って延びる取付フレームを備えているので、取付フレームの長手方向（仕切りシートの幅方向）の所望の位置にグローブを着脱可能に取り付けることができる。
【００１３】
また、本発明の前記構成において、前記骨組ユニットの側面の少なくとも一部が側面シートによって外部と仕切られていてもよい。
【００１４】
ここで、「骨組ユニットの側面の少なくとも一部」とは、例えば、骨組ユニットが直方体状に形成されている場合、４つの側面のうちの少なくとも一側面、または、一側面のうちの少なくとも一部を含むものとする。
【００１５】
このような構成によれば、骨組ユニットの側面の少なくとも一部が側面シートによって外部と仕切られているので、骨組ユニット内から外部へのウイルスを含んだ飛沫の飛散を抑制できる。
【００１６】
また、本発明の前記構成において、前記診察エリアに空気を吹き出す空気吹出装置と、前記被診察エリアから空気を吸引する空気吸引装置との少なくとも一方を備えていてよい。
【００１７】
ここで、空気吹出装置および空気吸引装置は、内部にＨＥＰＡフィルタ等の異物捕集用のフィルタを設けるのが好ましいが、フィルタは設けなくてもよい。
【００１８】
このような構成によれば、例えば空気吹出装置を備え、空気吸引装置を備えていない場合、診察エリアは外部および被診察エリアに対して陽圧となるので、空気吹出装置から吹き出された空気は、開放された少なくとも上面から外部に排出されるような気流を形成し、ウイルスを含んだ飛沫が被診察エリアから診察エリアに侵入するのを抑制できるとともに、ウイルスを含んだ飛沫が診察エリアに滞留するのを抑制できる。
また、空気吹出装置を備えておらず、空気吸引装置を備えている場合、被診察エリアは外部および診察エリアに対して陰圧となるので、開放された少なくとも上面から被診察エリアに空気が供給されるような気流を形成し、被診察エリアからウイルスを含んだ飛沫が外部および診察エリアに拡散するのを抑制できる。
さらに、空気吹出装置と空気吸引装置との双方を備えている場合、ウイルスを含んだ飛沫が被診察エリアから診察エリアに侵入したり、診察エリアへ滞留するのを抑制できるとともに、被診察エリアからウイルスを含んだ飛沫が外部および診察エリアに拡散するのを抑制できる。
【００１９】
また、本発明の前記構成において、前記空気吹出装置は、前記診察エリアの前記骨組ユニットのフレームに前記仕切りシートと対向して取り付けられ、
前記空気吸引装置は、前記被診察エリアの前記骨組ユニットのフレームに前記仕切りシートと対向して取り付けられていてもよい。
【００２０】
このような構成によれば、仕切りシートに対して、空気吹出装置および空気吸引装置を容易に位置決めして固定できるので、空気吹出装置および空気吸引装置が使用中に動いて位置ずれを起こすことがなく、このため上述した空気吹出装置および空気吸引装置によるウイルスを含んだ飛沫の滞留、侵入、拡散抑制効果を確実に得ることができる。
【発明の効果】
【００２１】
本発明によれば、診察人と被診察人との間に容易に仕切りシートを設けることができるとともに、グローブの取り換えが容易なる。
【図面の簡単な説明】
【００２２】
【図１】本発明の診察ブースを示すもので、側面図である。
【図２】同、平面図である。
【図３】同、図１におけるＡ−Ａ線断面図である。
【図４】同、右側端面図である。
【図５】同、左側端面図である。
【図６】同、図１におけるＢ−Ｂ線断面図である。
【発明を実施するための形態】
【００２３】
以下、図面を参照して本発明に係る診察ブースの実施形態について説明する。
図１〜図５は、本実施形態に係る診察ブースを示すもので、図１は側面図、図２は平面図、図３は図１におけるＡ−Ａ線断面図、図４は右側端面図、図５は左側端面図、図６は図１におけるＢ−Ｂ線断面図である。
【００２４】
診察ブースは、診察人が被診察人に対して診察や検査をする際に使用されブースであって、図１〜図６に示すように、骨組ユニット１０と、仕切りシート２０と、グローブ３０とを備えている。
骨組ユニット１０は、診察人が出入り可能な診察エリア１１と、被診察人が出入り可能能な被診察エリア１２とが内部に配置され、かつ少なくとも上面（天井部）が解放されたものであり、複数の骨組材１０ａを組み立てることによって略直方体状に形成されている。骨組材１０ａは、合成樹脂製またはアルミ等の金属製の円筒状または角筒状のパイプによって形成され、長さが異なる複数種類がある。骨組材１０ａどうしはジョイント部材１０ｂによって接続されている。
【００２５】
ジョイント部材１０ｂは複数種類あり、骨組ユニット１０のコーナ部において３本の骨組材１０ａを互いに直角に接続するもの、骨組ユニット１０の側面上部において４本の骨組材１０ａを互いに直角に接続するものがある。また、ジョイント部材１０ｂは合成樹脂製またはアルミ等の金属製のものであり、骨組材１０ａの端部が挿入される継手パイプを有している。なお、ジョイント部材１０ｂの形状等は上述したものに限ることなく、骨組材１０ａを接続する形態に応じて適宜形状等が設定される。
【００２６】
このような骨組材１０ａおよびジョイント部材１０ｂを使用して骨組ユニット１０を組み立てる場合、骨組ユニット１０の上面側では、図２に示すように、複数の骨組材１０ａを平面視において矩形枠状に組み立てるとともに、この矩形枠の内側中央部に骨組材１０ａを骨組ユニット１０の長手方向に延在する骨組材１０ａに対して直交させて組み立て、骨組材１０ａどうしをジョイント部材１０ｂによって接続する。
また、骨組ユニット１０の側面側では、図１に示すように、複数の骨組材１０ａを側面視において略コ字形に組み立てるとともに、このコ字形枠の内側に１本の骨組材１０ａを左右の骨組材１０ａ，１０ａから等距離で離間させて立てた状態で組み立て、骨組材１０ａどうしをジョイント部材１０ｂによって接続する。
【００２７】
また、骨組ユニット１０の側端面側では、図４および図５に示すように、複数の骨組材１０ａを側端面視において略コ字形に組み立てるともに、骨組材１０ａどうしをジョイント部材１０ｂによって接続する。
【００２８】
仕切りシート２０は、例えば透明の長方形状の塩化ビニールシートによって形成されており、仕切りシート２０の幅は骨組ユニット１０の幅（平面視において骨組ユニット１０の短手方向の長さ）とほぼ等しく、高さは骨組ユニット１０の高さより若干短くなっている。仕切りシート２０は、本実施形態では、上端部（上縁部）が骨組ユニットの上部に取り付けられ、下端部（下縁部）は骨組ユニットが設置された床面に接しているが、下端部は当該床面から所定高さだけ離間していてもよい。仕切りシートの下端部を床面から所定高さだけ離間させる場合、当該下端部を診察人および被診察人の腰のあたりに位置させればよい。
このような仕切りシート２０は、骨組ユニット１０に、診察エリア１１と被診察エリア１２とを仕切るようにして着脱可能に取り付けられている。
【００２９】
すなわち、図２および図３に示すように、骨組ユニット１０の上面側において長手方向（図２において左右方向）中央部に位置する骨組材１０ａには、複数の吊部材２１の上端部が骨組材１０ａの長手方向に所定間隔で取り付けられ、これら吊部材２１の下端部には仕切りシート２０の上縁部が取り付けられている。仕切りシート２０の上縁部には、ハトメによって補強された複数の孔が仕切りシート２０の幅方向に沿って所定間隔で設けられ、当該孔に吊部材２１の下端部が挿通されることで、吊部材２１の下端部に仕切りシート２０の上縁部が取り付けられている。
【００３０】
吊部材２１は、例えばＳ字状に形成されたＳカンによって形成され、その上端部が前記骨組材１０ａに長手方向に沿ってスライド可能、かつ着脱可能に取り付けられている。また、吊部材２１の下端部には仕切りシート２０の上縁部が着脱可能に取り付けられている。したがって、仕切りシート２０は、吊部材２１の上端部を骨組材１０ａに着脱可能に取り付けるか、または、吊部材２１の下端部に仕切りシート２０の上縁部を着脱可能に取り付けるかによって、骨組ユニット１０に着脱可能に取り付けられている。
なお、本実施形態では、吊部材２１を骨組材１０ａにスライド可能に取り付けたが、固定的に取り付けてもよい。また、吊部材２１を用いることなく、仕切りシート２０の上縁部を骨組材１０ａにマジックテープ（登録商標）等の面ファスナーによって着脱可能に取り付けてもよい。
【００３１】
また、骨組ユニット１０には、診察エリア１１から診察人の腕が挿入されるグローブ３０が着脱可能に取り付けられている。
すなわち、図３に示すように、骨組ユニット１０は、仕切りシート２０の幅方向（図３において左右方向）に延び、かつ上下に離間して配置された取付フレーム１０ｄ，１０ｄを備えている。
取付フレーム１０ｄ，１０ｄは骨組ユニット１０の長手方向（図６において左右方向）の中央部に配置され、当該取付フレーム１０ｄ，１０ｄの端部は、左右の骨組材１０ａ，１０ａに固定されている。取付フレーム１０ｄ，１０ｄは、骨組ユニット１０の上下方向の中央部より上側寄りに配置され、診察エリア１１および被診察エリア１２に診察人および被診察人が椅子に座った際の肩の高さ、もしくはその近傍に位置している。
【００３２】
取付フレーム１０ｄ，１０ｄには、グローブ取付用のポート３１，３１が左右に離間して取り付けられている。ポート３１，３１は、円環状に形成され、その内側にグローブ３０，３０が診察エリア１１から挿通されている。そして、グローブ３０，３０の基端部側にある腕挿入用の開口部の周縁部がポート３１，３１に着脱可能に取り付けられている。
また、仕切りシート２０には、円形状の挿通孔２０ａ，２０ａが左右に離間して設けられ、当該挿通孔２０ａ，２０ａに、グローブ３０，３０が被診察エリア１２に延出するように挿通されている。挿通孔２０ａ，２０ａの内周とグローブ３０，３０の基端部外周との間には、若干の隙間が設けられているが、隙間はなくてもよい。隙間があれば、グローブ３０を挿通孔２０ａに容易に挿通できる一方、この隙間を空気が通過する虞があるが、後述するように、診察エリア１１が被診察エリア１２より陽圧となるので、被診察エリア１２から診察エリア１１への空気の侵入を防止できる。
【００３３】
また、骨組ユニット１０の対向する両側面には側面シート３５，３５が着脱可能に取り付けられ、当該側面シート３５，３５によって、骨組ユニット１０の内部が外部と仕切られている。なお、側面シート３５，３５は、後述するように、無くてもよいが、本実施形態のようにあってもよく、必要に応じて容易に取付け可能であればよい。
すなわちまず、図１および図２に示すように、骨組ユニット１０の上面側の骨組材１０ａには、複数の吊部材２１の上端部が骨組材１０ａの長手方向に所定間隔で取り付けられ、これら吊部材２１の下端部には側面シート３５の上縁部が取り付けられている。
【００３４】
吊部材２１は、例えばＳ字状に形成されたＳカンによって形成され、その上端部が前記骨組材１０ａに長手方向に沿ってスライド可能、かつ着脱可能に取り付けられている。また、吊部材２１の下端部には側面シート３５の上縁部が前記仕切りシート２０と同様にして着脱可能に取り付けられている。したがって、側面シート３５は、吊部材２１の上端部を骨組材１０ａに着脱可能に取り付けるか、または、吊部材２１の下端部に側面シート３５の上縁部を着脱可能に取り付けるかによって、骨組ユニット１０に着脱可能に取り付けられている。
【００３５】
なお、側面シート３５の上縁部と上面側の骨組材１０ａとの間には所定の隙間が設けられ、この隙間に吊部材２１の一部が露出している。また、側面シート３５の下縁部は床面に接していてもよいし、床面との間に所定の隙間が設けられていてもよい。
【００３６】
また、図１に示すように、側面視における骨組ユニット１０の上下方向に延在し、かつ左右に離間する外側の骨組材１０ａ，１０ａには、マジックテープ（登録商標）等の面ファスナー２５（図１にいて斜線のハッチングで示す。）が上下に延在するようにして設けられる一方、側面シート３５の左右縁部には面ファスナーが設けられている。この面ファスナーを前記面ファスナー２５に着脱可能に取り付けることによって、側面シート３５の左右縁部が前記骨組材１０ａ，１０ａに着脱自在に取り付けられている。
【００３７】
また、図６に示すように、側面シート３５は、２つのシート３５ａ，３５ｂによって構成されている。シート３５ａは幅方向（図６において左右方向）の長さがシート３５ｂより十分（例えば２倍以上）に長くなっており、シート３５ａ，３５ｂはその縁部において厚さ方向に重なっている。
診察エリア１１においては、骨組ユニット１０の一方の側面側がシート３５ａで覆われ、他方の側面側がシート３５ａ，３５ｂによって覆われている。したがって、他方の側面側では、シート３５ａ，３５ｂの重なり部分があり、この部分においてシート３５ａ，３５ｂを、上縁を固定した状態で捲るようにして引き離すか、または、シート３５ａ，３５ｂの縁部どうしを左右方向に引き離すことによって、側面シート３５に出入口が形成され、当該出入口から診察人が診察エリア１１に出入りできる。
【００３８】
一方、被診察エリア１２においては、骨組ユニット１０の他方の側面側がシート３５ａで覆われ、一方の側面側がシート３５ａ，３５ｂによって覆われている。したがって、一方の側面側では、シート３５ａ，３５ｂの重なり部分があり、この部分においてシート３５ａ，３５ｂを、上縁を固定した状態で捲るようにして引き離すか、または、シート３５ａ，３５ｂの縁部どうしを左右方向に引き離すことによって、側面シート３５に出入口が形成され、当該出入口から被診察人が被診察エリア１２に出入りできる。
このように、診察エリア１１の出入口と、被診察エリア１２の出入口とが骨組ユニット１０の異なる側面側にそれぞれ設けられるので、診察人および被診察人は、互いに接触することなく、診察エリア１１および被診察エリア１２に出入りできる。
【００３９】
なお、本実施形態では、骨組ユニット１０の両側面をそれぞれ側面シート３５，３５によって覆ったが、側面シート３５，３５は全く無くてもよいし、骨組ユニット１０の側面の一部に設けられていれもよい。要は、側面シートは、骨組ユニット１０の側面の少なくとも一部に設けられていればよい。
【００４０】
また、骨組ユニット１０には、図１、図２および図６に示すように、診察エリア１１に空気を吹き出す空気吹出装置４０が設けられるとともに、被診察エリア１２から空気を吸引する空気吸引装置４１が設けられている。
空気吹出装置４０および空気吸引装置４１は自立型のクリーンパーティションによって構成されている。クリーンパーティションは内部が矩形のパネル状に形成されており、その下端部にはキャスタ付きの支持台４３が設けられている。
【００４１】
空気吹出装置４０は、診察エリア１１の骨組ユニット１０のフレーム（骨組材１０ａ）に仕切りシート２０と対向して取り付けられている。すなわち、図４に示すように、空気吹出装置４０は、骨組ユニット１０の厚さ（図４において左右方向の厚さ）と幅がほぼ等しくなっており、当該空気吹出装置４０の幅方向の端部が、左右に対向する骨組材１０ａ，１０ａに固定されている。また、空気吹出装置４０の高さは、骨組ユニット１０の高さより低くなっており、空気吹出装置４０の上端と、骨組ユニット１０の上面側の骨組材１０ａとの間には所定の間隔が設けられ、この間隔は解放されている。なお、この間隔をシートによって覆ってもよい。
【００４２】
空気吹出装置４０は、内部が中空となっており、一方の面（図１において右面）が外部に面しており、他方の面（図１において左面）が診察エリア１１に面している。
空気吹出装置４０の外部に面している一方の面の下部には、空気を吸引する吸引口４０ａが設けられている。吸引口４０ａは円形状に形成され、当該吸引口４０ａには多数の小貫通孔を有する円形状の吸引板が嵌め込まれている。また、空気吹出装置４０の診察エリア１１に面している他方の面の上部には空気を吹き出す吹出口４０ｂが設けられている。吹出口４０ｂは矩形状に形成され、当該吹出口４０ｂには多数の小貫通孔を有する矩形状の吹出板が嵌め込まれている。
【００４３】
また、空気吹出装置４０は、内部に送風機４０ｃとフィルタ４０ｄとを備えている。送風機４０ｃは、空気吹出装置４０の内部の下部に、吸引口４０ａと対向して設けられており、モータとこのモータの回転軸に取り付けられた羽根とを備えている。モータには電気を供給するため電源コード４０ｅが接続されている。モータによって羽根を回転させると、骨組ユニット１０の外部の空気が吸引口４０ａから吸引されるので、空気吹出装置４０の内部が陽圧となり、当該内部の空気が上方に流れ、吹出口４０ｂから吹き出される。
【００４４】
フィルタ４０ｄは、空気吹出装置４０の内部に吹出口４０ｂに対向して設けられている。このフィルタ４０ｄは、不織布やメッシュ状の織布等で形成されたプレフィルタとＨＥＰＡフィルタ等で形成されたメインフィルタとを備えており、プレフィルタよりメインフィルタが吹出口４０ｂに近くなるように配置されている。
そして、送風機４０ｃによって、吸引口４０ａから吸引された外部の空気をフィルタ４０ｄを通過させたうえで、吹出口４０ｂから吹き出す。この際、空気に含まれていた比較的粒径の大きい塵等は主にプレフィルタによって捕捉されて除去され、菌やウイルス等の微細なものはメインフィルタによって捕捉されて除去される。
そして、吹出口４０ｂから診察エリア１１に吹き出された清浄な空気によって、診察エリア１１は外部および被診察エリア１２に対して陽圧となるので、空気吹出装置４０から吹き出された空気は、骨組ユニット１０の開放された上面から外部に排出されるような気流を形成し、ウイルスを含んだ飛沫が被診察エリア１２から診察エリア１１に侵入するのを抑制できるとともに、ウイルスを含んだ飛沫が診察エリア１１に滞留するのを抑制できる。
なお、空気吹出装置４０は、フィルタ４０ｄを備えていなくてもよい。
【００４５】
空気吸引装置４１は、被診察エリア１２の骨組ユニット１０のフレーム（骨組材１０ａ）に仕切りシート２０と対向して取り付けられている。すなわち、図５に示すように、空気吸引装置４１は、骨組ユニット１０の厚さ（図５において左右方向の厚さ）と幅がほぼ等しくなっており、当該空気吸引装置４１の幅方向の端部が、左右に対向する骨組材１０ａ，１０ａに固定されている。また、空気吸引装置４１の高さは、骨組ユニット１０の高さより低くなっており、空気吸引装置４１の上端と、骨組ユニット１０の上面側の骨組材１０ａとの間には所定の間隔が設けられ、この間隔は解放されている。なお、この間隔をシートによって覆ってもよい。
【００４６】
空気吸引装置４１は、内部が中空となっており、一方の面（図１において左面）が外部に面しており、他方の面（図１において右面）が被診察エリア１２に面している。
空気吸引装置４１の被診察エリア１２に面している他方の面の上部には、空気を吸引する吸引口４１ａが設けられている。吸引口４１ａは矩形状に形成され、当該吸引口４１ａには多数の小貫通孔を有する矩形状の吸引板が嵌め込まれている。また、空気吸引装置４１の外部に面している一方の面の下部には空気を吹き出す吹出口４１ｂが設けられている。吹出口４１ｂは矩形状に形成され、当該吹出口４１ｂには多数の小貫通孔を有する矩形状の吹出板が嵌め込まれている。
【００４７】
また、空気吸引装置４１は、内部に送風機４１ｃとフィルタ４１ｄとを備えている。送風機４１ｃは、空気吸引装置４１の内部の下部に、吹出口４０ｂと対向して設けられており、モータとこのモータの回転軸に取り付けられた羽根とを備えている。モータには電気を供給するため電源コード４１ｅが接続されている。モータによって羽根を回転させると、空気吸引装置４１の内部の空気が吹出口４１ｂから吹き出されるので、当該内部が陰圧となり、被診察エリア１２の空気が吸引口４１ａから吸引されて、下方に流れ吹出口４１ｂから吹き出される。
【００４８】
フィルタ４１ｄは、空気吸引装置４１の内部に吸引口４１ａに対向して設けられている。このフィルタ４１ｄは、不織布やメッシュ状の織布等で形成されたプレフィルタとＨＥＰＡフィルタ等で形成されたメインフィルタとを備えており、メインフィルタよりプレフィルタが吸引口４１ａに近くなるように配置されている。
そして、送風機４１ｃによって、吸引口４１ａから吸い込まれた被診察エリア１２の空気をフィルタ４１ｄを通過させたうえで、吹出口４１ｂから吹き出す。この際、空気に含まれていた比較的粒径の大きい塵等は主にプレフィルタによって捕捉されて除去され、菌やウイルス等の微細なものはメインフィルタによって捕捉されて除去される。
そして、吸引口４１ａから被診察エリア１２の空気が吸い込まれることによって、被診察エリア１２は外部および診察エリア１１に対して陰圧となるので、骨組ユニット１０の開放された上面から被診察エリア１２に空気が供給されるような気流を形成し、被診察エリア１２からウイルスを含んだ飛沫が外部および診察エリアに拡散するのを抑制できる。
なお、空気吸引装置４１は、フィルタ４０ｄを備えていなくてもよい。
【００４９】
以上のように本実施の形態によれば、骨組ユニット１０に、透明な仕切りシート２０が、診察エリア１１と被診察エリア１２とを仕切るようにして取り付けられるので、診察人と被診察人との間に容易に仕切りシート２０を設けることができる。
また、骨組ユニット１０にグローブ３０が着脱可能に取り付けられるとともに、仕切りシート２０に、グローブ３０が被診察エリア１２に延出するように挿通される挿通孔２０ａが設けられているので、グローブ３０の取り換えが容易となる。
また、仕切りシート２０は骨組ユニット１０に着脱可能に取り付けられているので、仕切りシート２０が損傷したり汚れた場合に、当該仕切りシート２０を容易に取り換えることができる。
【００５０】
また、骨組ユニット１０は、仕切りシート２０の幅方向に沿って延びる取付フレーム１０ｄを備え、当該取付フレーム１０ｄに設けられたポート３１にグローブ３０が着脱可能に取り付けられているので、取付フレーム１０ｄの長手方向（仕切りシート２０の幅方向）の所望の位置にグローブ３０を着脱可能に取り付けることができる。
さらに、骨組ユニット１０の側面に側面シート３５が設けられ、当該側面シート３５によって骨組ユニット１０の内部が外部と仕切られているので、骨組ユニット内から外部へのウイルスを含んだ飛沫の飛散を抑制できる。
【００５１】
また、骨組ユニット１０に、診察エリア１１に空気を吹き出す空気吹出装置４０が設けられているので、空気吹出装置４０から吹き出された空気は、骨組ユニット１０の開放された上面から外部に排出されるような気流を形成し、ウイルスを含んだ飛沫が被診察エリアから診察エリアに侵入するのを抑制できるとともに、ウイルスを含んだ飛沫が診察エリアに滞留するのを抑制できる。
また、骨組ユニット１０に、被診察エリア１２から空気を吸引する空気吸引装置４１が設けられているので、骨組ユニット１０の開放された上面から被診察エリア１２に空気が供給されるような気流を形成し、被診察エリア１２からウイルスを含んだ飛沫が外部および診察エリア１１に拡散するのを抑制できる。
【００５２】
さらに、空気吹出装置４０は、診察エリア１１の骨組ユニット１０のフレーム（骨組材１０ａ）に仕切りシート２０と対向して取り付けられ、空気吸引装置４１は、被診察エリア１２の骨組ユニット１０のフレーム（骨組材１０ａ）に前記仕切りシートと対向して取り付けられているので、仕切りシート２０に対して、空気吹出装置４０および空気吸引装置４１を容易に位置決めして固定できるので、空気吹出装置４０および空気吸引装置４１が使用中に動いて位置ずれを起こすことなく、このため上述した空気吹出装置４０および空気吸引装置４１によるウイルスを含んだ飛沫の滞留、侵入、拡散抑制効果を確実に得ることができる。
【符号の説明】
【００５３】
１０  骨組ユニット
１０ａ  骨組材
１０ｄ  取付フレーム
１１  診察エリア
１２  被診察エリア
２０  仕切りシート
３０  グローブ
３５  側面シート
４０  空気吹出装置
４１  空気吸引装置
【要約】
【課題】診察人と被診察人との間に容易に仕切りシートを設けることができるとともに、グローブの取り換えが容易な診察ブースを提供する。
【解決手段】診察ブースは、診察人が出入り可能な診察エリア１１と、被診察人が出入り可能能な被診察エリア１２とが内部に配置され、かつ少なくとも上面が解放された骨組ユニット１０と、骨組ユニット１０に、診察エリア１１と被診察エリア１２とを仕切るようにして取り付けられた透明な仕切りシート２０と、骨組ユニット１０に着脱可能に取り付けられ、診察エリア１１から診察人の腕が挿入されるグローブ３０とを備え、仕切りシート２０に、グローブ３０が被診察エリア１２に延出するように挿通される挿通孔２０ａが設けられているので、診察人と被診察人との間に容易に仕切りシート２０を設けることができるとともに、グローブ３０の取り換えが容易となる。
【選択図】図１【図１】
0006975826.tif 000002
【図２】
0006975826.tif 000003
【図３】
0006975826.tif 000004
【図４】
0006975826.tif 000005
【図５】
0006975826.tif 000006
【図６】
0006975826.tif 000007